(57)【要約】【課題】従来の照明装置では、係止アームが天井の裏面に係合することによってアダプタが室内側に脱落しないようにしているだけであるため、アダプタを天井に密着させることができない。特に、浴室の天井に取り付ける場合には、アダプタが天井に密着していなければ、取付穴とアダプタとの間の隙間を通って湿気が天井の裏側に回り込む。【解決手段】アダプタの内側に上記取付穴への挿入方向に長手のネジ棒が設けられており、このネジ棒を室内側から右回りに回動すると、アダプタの内側から外側に揺動し、さらにネジ棒に沿って室内側に向かって移動するストッパ片が上記ネジ棒に螺合されており、アダプタを上記取付穴に挿入した状態でネジ棒を右回りに回動すると、アダプタの室内側の端縁と上記ストッパ片とで天井を挟んでアダプタが天井に密着する。【選択図】  図２
2017050127.tif 000002
【特許請求の範囲】
【請求項１】
天井に形成した取付穴に固定される環状のアダプタと、このアダプタに固定される照明装置本体とからなる照明装置において、上記アダプタの内側に上記取付穴への挿入方向に長手のネジ棒が設けられており、このネジ棒を室内側から右回りに回動すると、アダプタの内側から外側に揺動し、さらにネジ棒に沿って室内側に向かって移動するストッパ片が上記ネジ棒に螺合されており、アダプタを上記取付穴に挿入した状態でネジ棒を右回りに回動すると、アダプタの室内側の端縁と上記ストッパ片とで天井を挟んでアダプタが天井に固定されるように構成されていることを特徴とする照明装置。
【請求項２】
上記アダプタには上記ネジ棒を支持する支持部が形成されており、この支持部の端部が上記照明装置本体の室内側への脱落を防止するストッパとして機能するように構成されていることを特徴とする請求項１に記載の照明装置。
【発明の詳細な説明】
【技術分野】
【０００１】
本発明は、天井に形成された取付穴に固定されるシーリングライトと呼ばれる照明装置に関する。
【背景技術】
【０００２】
従来のこの種の照明装置は、天井に形成した取付穴に固定される環状のアダプタと、そのアダプタに挿入してアダプタに連結される照明装置本体とから構成されるものが知られている（例えば、特許文献１参照）。このアダプタを取付穴に固定する機構として、室内側から取付穴にアダプタを取り付けることができるように、アダプタの外側に八の字状に広がるバネ板からなる係止アームを設け、アダプタを室内側から取付穴に挿入すると、天井の裏側で係止アームが広がって天井の裏面に係合し、アダプタが室内側へ脱落しないように構成されている。
【先行技術文献】
【特許文献】
【０００３】
【特許文献１】特開２００８−３４１８５号公報（図５）
【発明の概要】
【発明が解決しようとする課題】
【０００４】
上記従来の照明装置では、係止アームが天井の裏面に係合することによってアダプタが室内側に脱落しないようにしているだけであるため、アダプタを天井に密着させることができない。特に、このような照明器具を浴室の天井に取り付ける場合には、アダプタが天井に密着していなければ、取付穴とアダプタとの間の隙間を通って湿気が天井の裏側に回り込む不具合が生じる。
【０００５】
なお、このような不具合を解消するには、アダプタの外周面にネジ部を係止し、天井の裏側でナット部材をアダプタのネジ部に螺合させることによってアダプタを天井に密着させることも考えられる。但し、そのように構成すると、ナット部材を天井の裏側でアダプタに螺合させ、さらにナット部材を回転させて締め付けなければならないので、きわめて作業がしづらいという不具合が生じるので、採用することができない。
【０００６】
そこで本発明は、上記の問題点に鑑み、室内側からの作業だけでアダプタを天井に密着させることのできる照明装置を提供することを課題とする。
【課題を解決するための手段】
【０００７】
上記課題を解決するために本発明による照明装置は、天井に形成した取付穴に固定される環状のアダプタと、このアダプタに固定される照明装置本体とからなる照明装置において、上記アダプタの内側に上記取付穴への挿入方向に長手のネジ棒が設けられており、このネジ棒を室内側から右回りに回動すると、アダプタの内側から外側に揺動し、さらにネジ棒に沿って室内側に向かって移動するストッパ片が上記ネジ棒に螺合されており、アダプタを上記取付穴に挿入した状態でネジ棒を右回りに回動すると、アダプタの室内側の端縁と上記ストッパ片とで天井を挟んでアダプタが天井に固定されるように構成されていることを特徴とする。
【０００８】
上記ストッパ片はアダプタを取付穴に挿入する際にはアダプタの内側に位置しているので、アダプタを取付穴に挿入する際の邪魔にはならない。そして、アダプタを取付穴に挿入後は室内側からネジ棒を回動することによってストッパ片がアダプタの外側に移動し、さらに室内側に向かって移動するので、アダプタの室内側の端縁と上記ストッパ片とで天井を挟んでアダプタを天井に密着させることができる。
【０００９】
上記アダプタには上記ネジ棒を支持する支持部が形成されており、この支持部の端部が上記照明装置本体の室内側への脱落を防止するストッパとして機能するように構成することが望ましい。
【発明の効果】
【００１０】
以上の説明から明らかなように、本発明は、室内側からの作業だけでアダプタを天井に密着させることができるので、アダプタを天井に密着させる必要のある現場でのアダプタの取付工数を削減することができる。
【図面の簡単な説明】
【００１１】
【図１】天井に取り付けられた照明装置を天井の裏側から見た斜視図
【図２】天井に取り付ける前の状態のアダプタ
【図３】天井に取り付ける前のアダプタを下方から見た図
【図４】天井に取り付けられたアダプタに照明装置本体を合体させる状態を示す側面図
【発明を実施するための形態】
【００１２】
図１を参照して、１は本発明による照明装置の一例である。この照明装置１は天井Ｃに固定される環状のアダプタ２と、そのアダプタ２に対して室内側から挿入し、さらに回すことによってアダプタ２に保持される照明装置本体（以下、単に本体という）３とから構成されている。
【００１３】
図２及び図３を合わせて参照して、アダプタ２は下端にフランジ状の張り出し部２１が形成されており、上部には支持部２２が形成されている。その支持部２２にはネジ棒２３が上下方向に長手に支持されている。このネジ棒２３は下方、すなわちアダプタ２を天井Ｃの取付穴に挿入した状態で室内側から回動することができる。
【００１４】
このネジ棒２３には板金製のストッパ片４が螺合している。ネジ棒２３を室内側から右回りに回動すると、ストッパ片４はネジ棒２３との間に生じる摩擦力によってネジ棒２３と一緒に回動する。支持部２２には窓穴２４が形成されているので、ストッパ片４はネジ棒２３と共に回動すると、この窓穴２４を通って支持部２２の外側に移動する。ネジ棒２３を挟んで窓穴２４の反対側には更なる窓穴が形成されていないので、ストッパ片４は窓穴２４を通って支持部２２の外側に出ると、支持部２２の外側面に当接してそれ以上回動できなくなる。ネジ棒２３をさらに回動し続けると、ストッパ片４は回動できないので、下方に向かって平行移動することになる。
【００１５】
そのため、ストッパ片４の押さえ部４１は天井Ｃの裏面に当接し、アダプタ２の張り出し部２１と、この押さえ部４１とで天井Ｃを上下方向から挟むことになり、押さえ部４１が天井Ｃを上方から押さえる反作用として張り出し部２１が天井Ｃの室内側面に密着することになる。
【００１６】
図４に示すように、天井Ｃに固定されたアダプタ２に対して下方、すなわち室内側から本体３を挿入し、そして挿入端で本体３を回動することにより本体３がアダプタ２に取り付けられる。
【００１７】
なお、本体３を回動すると、本体３の係止部３１がアダプタ２の支持部２２の上端であるストッパ部２２ａの上方に位置することになり、万一本体３がアダプタ２から下方に抜け落ちようとしても、係止部３１がストッパ部２２ａに当接して本体３が下方に脱落することを防止するようにした。
【００１８】
なお、本発明は上記した形態に限定されるものではなく、本発明の要旨を逸脱しない範囲内において種々の変更を加えてもかまわない。
【符号の説明】
【００１９】
１ 照明装置
２ アダプタ
３ 照明装置本体
４ ストッパ片
２１ 張り出し部
２２ 支持部
２２ａ ストッパ部
２３ ネジ棒
２４ 窓穴
３１ 係止部
４１ 押さえ部
Ｃ 天井
【図１】
2017050127.tif 000003
【図２】
2017050127.tif 000004
【図３】
2017050127.tif 000005
【図４】
2017050127.tif 000006